(57)【要約】【課題】電子装置の作業領域の環境を管理し、画面の構成、作業領域の構成をオーダーメード方式で構成するように制御できる電子装置及びその画面構成方法を提供する。【解決手段】電子装置の表示部の画面構成方法において、第１作業領域を提供する段階と、前記第１作業領域に、一つ又はそれ以上の蓋型オブジェクトを提供する段階と、前記蓋型オブジェクトが選択された場合、前記第１作業領域が除去されていくように漸進的に第２作業領域を提供する段階とを有する。【選択図】      図２Ｂ
2014120157.tif 000002
【特許請求の範囲】
【請求項１】
電子装置の表示部の画面構成方法において、
第１作業領域を提供する段階と、
前記第１作業領域に、一つ又はそれ以上の蓋型オブジェクトを提供する段階と、
前記蓋型オブジェクトが選択された場合、前記第１作業領域が除去されていくように漸進的に第２作業領域を提供する段階とを有することを特徴とする画面構成方法。
【請求項２】
前記第２作業領域を提供する段階は、前記第１作業領域を一つ以上の領域に分離する段階と、
前記分離された一つ以上の領域を前記表示部の一つ以上の縁に向けて互いに離れるように移動させる段階とを含むことを特徴とする請求項１に記載の画面構成方法。
【請求項３】
前記第１作業領域及び前記第２作業領域に、アイコン、メニュー、アプリケーションプログラム、及び機能の内の少なくとも一つを表示する段階と、
前記アイコン、メニュー、アプリケーションプログラム、及び機能の内の少なくとも一つが選択された場合、該当機能を行う段階とを更に有することを特徴とする請求項１に記載の画面構成方法。
【請求項４】
前記第１作業領域及び前記第２作業領域に、アイコン、メニュー、アプリケーションプログラム、及び機能の内の少なくとも一つが選択可能に同時に表示されることを特徴とする請求項３記載の画面構成方法。
【請求項５】
前記蓋型オブジェクトを複数個提供する場合、前記複数個の蓋型オブジェクトそれぞれが選択及び実行される際に、それぞれの蓋型オブジェクトに対応する第２作業領域を提供することを特徴とする請求項１に記載の画面構成方法。
【請求項６】
前記複数個の蓋型オブジェクト及び前記それぞれの第２作業領域を構成可能に提供することを特徴とする請求項５に記載の画面構成方法。
【請求項７】
前記第２作業領域に対してロック機能を提供することを特徴とする請求項１に記載の画面構成方法。
【請求項８】
前記蓋型オブジェクトが再度選択された場合、前記第２作業領域が除去されていくように漸進的に第１作業領域を提供する段階を更に有することを特徴とする請求項１に記載の画面構成方法。
【請求項９】
電子装置の表示部の画面構成方法において、
カット生成イベントが発生したか否かを確認する段階と、
カット生成イベントが発生した場合、作業領域内でカット領域を決定する段階と、
前記カット領域に含ませるコンテンツを決定する段階と、
前記コンテンツを前記カット領域に含ませる段階とを有することを特徴とする画面構成方法。
【請求項１０】
前記カット領域に含まれたコンテンツと電子装置に貯蔵されたデータ、機能、及びアプリケーションプログラムの内の少なくとも一つとをリンクする段階を更に有することを特徴とする請求項９に記載の画面構成方法。
【請求項１１】
前記カット領域に対する選択が感知された場合、前記電子装置に貯蔵されたデータ、機能、及びアプリケーションプログラムの内の少なくとも一つを選択する段階を更に有することを特徴とする請求項１０に記載の画面構成方法。
【請求項１２】
カット生成イベントが発生したか否かを確認する段階は、マウス、スタイラス、及びメニューの内の少なくとも一つによる予め定義された入力を確認する段階を含むことを特徴とする請求項９に記載の画面構成方法。
【請求項１３】
前記カット生成イベントが発生したか否かを確認する段階は、前記作業領域の空き領域に対する入力を介して前記カット生成イベントが発生したか否かを確認する段階を含むことを特徴とする請求項９に記載の画面構成方法。
【請求項１４】
電子装置の表示部の画面構成方法において、
作業領域編集モードを選択する段階と、
前記作業領域の背景画面イメージに文字及び絵を含ませる段階とを有することを特徴とする画面構成方法。
【請求項１５】
前記背景画面イメージに含まれた文字及び絵は、前記背景画面イメージとは別途に貯蔵されることを特徴とする請求項１４に記載の画面構成方法。
【請求項１６】
前記背景画面イメージは、前記文字及び絵を含むように貯蔵することを特徴とする請求項１４に記載の画面構成方法。
【請求項１７】
前記作業領域編集モードを選択する段階は、マウス、スタイラス、及びメニューの内の少なくとも一つによる予め定義された入力を確認する段階を含むことを特徴とする請求項１４に記載の画面構成方法。
【請求項１８】
前記作業領域編集モードを選択する段階は、前記作業領域の空き領域に対する入力を介して作業領域編集モードが選択されたか否かを確認する段階を含むことを特徴とする請求項１４に記載の画面構成方法。
【請求項１９】
電子装置において、
少なくとも一つの制御部と、
少なくとも一つのメモリと、
表示部と、
前記メモリに貯蔵され、前記制御部によって実行可能に構成される少なくとも一つのプログラムとを有し、
前記制御部は、前記表示部に第１作業領域を提供し、
前記第１作業領域に一つ又はそれ以上の蓋型オブジェクトを提供し、
前記蓋型オブジェクトが選択された場合、前記第１作業領域が除去されていくように漸進的に第２作業領域を提供するよう制御することを特徴とする電子装置。
【請求項２０】
前記制御部は、前記第２作業領域が前記メモリの予め定義されたディレクトリーにコンタクト可能に制御することを特徴とする請求項１９に記載の電子装置。
【発明の詳細な説明】
【技術分野】
【０００１】
本開示は、電子装置の画面を構成するための装置及びその方法に関し、特に、電子装置の作業領域をオーダーメード方式で構成して提供するための電子装置及びその画面構成方法に関する。
【背景技術】
【０００２】
電子装置は、ユーザ間の無線通信を提供するために開発されている。
技術が進歩するに連れ、電子装置は基本的な通話サービス以外にも付加的なサービスを提供する。
例えば、電子装置はアラーム、ＳＭＳ、ＭＭＳ、電子メール、ゲーム、近距離通信の遠隔制御（例えば、テレビのリモコン機能）、カメラを介したイメージ撮影機能、オーディオ及びビデオコンテンツを提供するマルチメディア機能、及びスケジューリング機能などのような付加的なサービスを提供する。
それによって、多様なサービスを提供する電子装置は現代人の日常生活の中で必需品となっている。
【０００３】
最近ではマルチメディアコンテンツの提供による電子装置の処理及び表示すべき情報量が増加し、空間活用度を改善して表示部のサイズを増加させるタッチスクリーンを具備した電子装置に対する関心が高まっている。
例えば、殆どのスマートフォン及びタブレットＰＣはタッチスクリーンを具備する。タッチスクリーンは情報の入力と表示を一つのスクリーンで行う。例えば、電子装置のユーザはタッチスクリーンに表示されたアイコン又は制御メニューに対するタッチ入力を介して多用なアプリケーションプログラム及びコンテンツを選択、実行、移動、設定を調節する。ここで、タッチスクリーンは静電容量方式及び抵抗膜（感圧）方式のような多様な方法で構成される。
【０００４】
図１は、従来技術による電子装置を示す図である。
図１を参照すると、電子装置１００はタッチスクリーンを具備する。
ここで、タッチスクリーンは情報の入力と表示を一つのスクリーンで行う。一般に、タッチスクリーンは作業領域１１０を含むメイン画面を有する。
【０００５】
作業領域１１０は、電子装置のユーザが迅速に実行可能な多様なアプリケーションプログラムのアイコン１２０を含む。
また、作業領域１１０はアイコンとして提供されないアプリケーションプログラムと機能にコンタクトできるスタートメニュー１３０又はそれと類似した機能を含む。
【０００６】
電子装置のユーザは、少なくとも一つのイメージを作業領域１１０の背景画面又はデスクトップに適用してもよい。
この際、背景画面又はデスクトップは静的なイメージ（例えば、ユーザの子供の写真）であるか、動的なイメージ（例えば、太陽の周りを活発に旋回する惑星を示す太陽系）であってもよい。
【０００７】
従来技術によると、電子装置のユーザは作業領域のデスクトップを選択することができる。また、電子装置のユーザは、作業領域に含ませる少なくとも一つの機能をデスクトップが選択される際に構成してもよい。例えば、電子装置のユーザは現在時刻を表示する時計を含む動的なデスクトップを設定してもよい。
【０００８】
しかし、従来技術のデスクトップは、迅速かつ容易で有用であるユーザとの相互作用のための機能を提供していない。
よって、電子装置における改善されたユーザインタフェースを提供する装置及びその方法が必要となっている問題がある。
【先行技術文献】
【特許文献】
【０００９】
【特許文献１】韓国公開特許第１０−２００９−００２５５３１号公報
【発明の概要】
【発明が解決しようとする課題】
【００１０】
本発明は上記従来の電子装置における問題点に鑑みてなされたものであって、本発明の目的は、電子装置の作業領域の環境を管理し、画面の構成、作業領域の構成をオーダーメード方式で構成するように制御できる電子装置及びその画面構成方法を提供することにある。
【課題を解決するための手段】
【００１１】
上記目的を達成するためになされた本発明による画面構成方法は、電子装置の表示部の画面構成方法において、第１作業領域を提供する段階と、前記第１作業領域に、一つ又はそれ以上の蓋型オブジェクトを提供する段階と、前記蓋型オブジェクトが選択された場合、前記第１作業領域が除去されていくように漸進的に第２作業領域を提供する段階とを有することを特徴とする。
【００１２】
また、上記目的を達成するためになされた本発明による画面構成方法は、電子装置の表示部の画面構成方法において、カット生成イベントが発生したか否かを確認する段階と、カット生成イベントが発生した場合、作業領域内でカット領域を決定する段階と、前記カット領域に含ませるコンテンツを決定する段階と、前記コンテンツを前記カット領域に含ませる段階とを有することを特徴とする。
【００１３】
また、上記目的を達成するためになされた本発明による画面構成方法は、電子装置の表示部の画面構成方法において、作業領域編集モードを選択する段階と、前記作業領域の背景画面イメージに文字及び絵を含ませる段階とを有することを特徴とする。
【００１４】
上記目的を達成するためになされた本発明による電子装置は、電子装置において、少なくとも一つの制御部と、少なくとも一つのメモリと、表示部と、前記メモリに貯蔵され、前記少なくとも一つの制御部によって実行可能に構成される少なくとも一つのプログラムとを有し、前記制御部は、前記表示部に第１作業領域を提供し、前記第１作業領域に一つ又はそれ以上の蓋型オブジェクトを提供し、前記蓋型オブジェクトが選択された場合、前記第１作業領域が除去されていくように漸進的に第２作業領域を提供するよう制御することを特徴とする。
【発明の効果】
【００１５】
本発明に係る画面構成方法及びその電子装置によれば、電子装置の作業領域をオーダーメード方式で構成できるように提供することで、ユーザの意図に応じて作業領域を構成することができるという効果を有する。
【図面の簡単な説明】
【００１６】
【図１】従来技術による電子装置を示す図である。
【図２Ａ】本発明の実施形態による電子装置の作業領域を示す図である。
【図２Ｂ】本発明の実施形態による電子装置の作業領域を示す図である。
【図２Ｃ】本発明の実施形態による電子装置の作業領域を示す図である。
【図３】本発明の実施形態による電子装置におけるカット領域を含む作業領域を示す図である。
【図４】本発明の実施形態による電子装置における作業領域を構成するための手順を説明するためのフローチャートである。
【図５】本発明の実施形態による電子装置の概略構成を示すブロック図である。
【発明を実施するための形態】
【００１７】
次に、本発明に係る画面構成方法及びその電子装置を実施するための形態の具体例を図面を参照しながら説明する。
【００１８】
図面全体において、同じ参照番号は同じ構成要素、特徴及び構造物を示す。
本発明を説明するに当たって、関連する公知機能或いは構成に対する具体的な説明が本発明の要旨を不明確にする恐れがあると判断される場合、その詳細な説明を省略する。
また、後述する用語は本発明における機能を考慮して定義したものであり、これはユーザ、運用者の意図又は慣例などによって異なり得る。よって、その定義は本明細書全般にかかる内容に基づいて下されるべきである。また、本発明の明確性と簡潔性のために広く知られている機能と構成に対する説明は省略する。
【００１９】
以下の説明及び特許請求の範囲で使用された用語と単語は書誌的な意味に限られず、単に本発明に対する明確で一貫性のある理解のために本発明者が使用したものである。よって、本発明の好ましい実施形態に対する以下の説明は説明の目的にのみ提供され、添付した特許請求の範囲とその均等物によって定義された発明を制限する目的で提供していないということが当業者にとって明白なはずである。
【００２０】
別途に明示していなければ、単数型の表現は複数型を含むということを理解すべきである。よって、例えば「一つの構成要素の表面」に対する言及は「一つ以上のそのような表面」に対する言及を含む。
用語「実質的に」は引用された特徴、パラメータ又は値が正確に伝達される必要はないが、例えば、許容値、測定誤差、測定正確度の制限及び当業者に知られている他の要素を含む偏差又は変異が本発明の特徴が提供しようとする効果を排除しないように発生し得るということを意味する。
【００２１】
本発明の多様な実施形態は、電子装置の画面を構成するための装置及びその方法に関するものである。
特に、電子装置の作業領域をオーダーメード方式で構成できるように提供する装置及びその方法に関するものである。
本発明の実施形態は電子装置について説明する。しかし、本発明はそれに限らない。例えば、本発明の多様な実施例として、電子装置はタッチスクリーンを具備する移動通信端末機、スマートフォン、ＰＤＡ、携帯インターネット装置（ＭＩＤ）、ラップトップＰＣ、ウルトラモバイルＰＣ（ＵＭＰＣ）、タブレットＰＣ、ネットブック、ナビゲーションデバイス、ＭＰ３プレーヤー、ポータブルメディアプレーヤー（ＰＭＰ）、デジタル冷蔵庫、及びデジタル時計などを含む。
【００２２】
電子装置の作業領域に対する従来技術での具現は、電子装置のユーザに作業領域の背景画面を写真やテーマに変える機能を提供する。
写真又はテーマは静的なイメージ（例えば、写真）であるか、動的なイメージ（例えば、現在時刻を示す動く時針、分針、秒針を有する時計）であってもよい。
従来技術における作業領域に含まれる背景画面はユーザによって選択されたイメージであってもよいが、特定状況及び条件に合わせたリアルタイム的な反映をさせることができない。
【００２３】
例えば、電子装置はユーザによってリアルタイムに撮影された写真を現在の作業領域の背景画面として挿入するか、写真周辺にフレームを含ませ、写真に特定個人の連絡先情報又はソーシャルネットワーク情報ストリームを連動させることができない。
本発明の実施形態では、電子装置は作業領域及び背景画面イメージをユーザによって直接構成できるように提供する。
【００２４】
図２Ａ〜図２Ｃは、本発明の実施形態による電子装置の作業領域を示す図である。
図２Ａ〜図２Ｃを参照すると、電子装置２００の作業領域は、背景にデスクトップを、前景にアイコン２２０を含む。
また、作業領域にはアイコンとして提供されないアプリケーションプログラム及び機能にコンタクト可能な少なくとも一つのメニュー２３０又はそれと類似した機能を含む。
【００２５】
本発明の実施形態において、デスクトップは第１作業領域２１０の上にあり、ファスナー２１２のような蓋型オブジェクトを含む。
ファスナー２１２は、静的なイメージ及び動的なイメージのうち少なくとも一つの形でデスクトップに含まれる。
ファスナー２１２は取っ手２１４とファスナーの歯を含むセットで表示され、デスクトップの一部がファスナーによって分離されることをユーザが認知できるように表示される。
【００２６】
この時、取っ手２１４は、作業領域を２つ以上の領域に分離し、分離された領域の下に第２作業領域２５０が現れるように表示する。
例えば、図２Ｂに示すように、取っ手２１４の移動が感知された場合、電子装置は第１作業領域２１０の一部が分離されるように表示し、分離された領域の下に第２作業領域２５０の一部を表示する。
【００２７】
この際、第１作業領域２１０のアイコン２２０は第１作業領域２１０のファスナーが開かれた部分とは相対的な位置に含まれる。また、電子装置は第１作業領域２１０が分離されていく領域を折り返されていくように表示するに連れ、第１作業領域２１０のことを特徴とする折り返された位置に存在するアイコンも一緒に折り返されていくように表示する。
【００２８】
取っ手２１４が、ファスナー２１２が完全に開いた位置に移動した場合、電子装置は図２Ｃに示すように第２作業領域２５０が完全に現れるように表示し、第１作業領域２１０の表示を除去する。
この際、電子装置は取っ手２１４を画面の縁部に表示し、第１作業領域２１０の表示が除去され第２作業領域２５０が表示されていることを示す。
【００２９】
例えば、タッチスクリーン又は他の種類の表示装置の表示部は、表示された作業領域の周辺に境界領域２４０を含む。
ファスナーの取っ手２１４は作業領域を逸脱して境界領域まで引っ張られる。
それと同じくして、電子装置は第１作業領域２１０の一部のみを第２作業領域の縁部に見えるように裏に折り返されたように表示し、ユーザに、現在、ファスナーの下の第２作業領域２５０を表示している、ということを想起させる。
しかし、本発明はこれに限らない。これと類似して、電子装置は第１作業領域２１０のデスクトップ部分を画面の外の境界領域２４０にまで完全に移動させたように表示してもよい。
【００３０】
また、電子装置は第１作業領域２１０の一部領域を表示し、ファスナーを下げる動作で第２作業領域２５０が表示され、ファスナーを上げる動作で更に第２作業領域２５０の表示が解除されるということをユーザに想起させることが好ましい。
また、第１作業領域２１０及び第２作業領域２５０のアイコンのうちいずれか一つが選択された場合、電子装置は該当アイコンの機能を行う。
【００３１】
例えば、図２Ｂに示すように第１作業領域２１０のアイコン２２２はファスナーが部分的に開かれたことで折り返された領域と相対的な位置に表示され、アイコン２２２が選択されると該当アイコンの機能を行う。
また、第２作業領域２５０のアイコン２２４はファスナーが部分的に開くことによって現れる領域に表示され、アイコン２２４が選択されると該当アイコンの機能を行う。
【００３２】
本発明の実施形態において、電子装置はファスナーを利用して作業領域を分離するか分離された作業領域を結合すると説明したが、本発明はこれに限らない。例えば、ファスナーの機能は、ページめくりやキャビネットのドア、箱の蓋のような形で表現されてもよい。
この際、電子装置はユーザに第１作業領域２１０の表示を除去し、除去された第１作業領域２１０下の第２作業領域２５０が現在、表示されているということを想起させる。また、電子装置は第１作業領域２１０を介して第２作業領域２５０のコンテンツを不透明に表示してもよい。また、電子装置は第１作業領域２１０を部分的に透明に表示して第２作業領域２５０に位置したアイコンの一部を示してもよい。
【００３３】
本発明の実施形態において、複数のユーザが同じ電子装置を使用する場合、各ユーザごとに、少なくとも一つのファスナーで構成された第２作業領域２５０を構成することができる。従って、各ユーザは該当ファスナーを開けて個人化（パーソナル化）された作業領域に迅速で容易に接近することができる。
【００３４】
本発明の実施形態において、ファスナー機能はロック形態であってもよい。
例えば、電子装置のユーザはパスワード、顔認識、音声認識、及びその他の保安機能のうち少なくとも一つを利用して閉まっているファスナー機能のロックを解除してもよい。
即ち、コンタクトを保護する他の特徴及び機能は、ロック形態のファスナー機能と一緒に使用されてもよい。例えば、閉まっているファスナー機能のロックを解除するために、電子装置はテキストパスワードの入力、音声認識パスワードの入力、タッチ及びマウスのうち少なくとも一つによるパターンパスワードを入力する。
【００３５】
ロック形態のファスナー機能を使用することで、ユーザは電子メールのパスワード、銀行口座のログイン情報、個人写真のような個人的でセンシティブな情報を含むアプリケーションプログラムをグループ化して第２作業領域に含ませることができる。
それによって、ユーザは第２作業領域２５０を介してコンタクト可能な保安状態の貯蔵空間を有することができる。
【００３６】
また、各ユーザごとに、少なくとも一つのロック形態のファスナー機能を使用する場合、電子装置は複数のユーザアカウントを有するコンピュータと類似して動作する。
即ち、各ユーザはロック機能を含まないファスナー機能を利用し、誰にも公開できるアプリケーションプログラム及び写真等を作業領域に含ませることができ、また、各ユーザは上述したように、ロック形態のファスナー機能を利用して個人的であり、センシティブなアプリケーションプログラム及び写真等を作業領域に含ませることができる。
【００３７】
電子装置は、ロック形態のファスナー機能又はロックが解除されたファスナー機能をいつでも開くことができるように許容することが好ましい。また、電子装置は第１作業領域２１０及び第２作業領域２５０の同時コンタクトを許容することが好ましい。しかし、本発明はこれに限らない。
【００３８】
本発明の他の実施形態において、電子装置の作業領域はカット領域を含む。
図３は、本発明の他の実施形態による電子装置におけるカット領域を含む作業領域を示す図である。
図３を参照すると、電子装置３００は作業領域３１０を含む。電子装置の作業領域３１０は、少なくとも一つのアイコン３３０及びカット３２０領域を含む。
カット領域３２０は閉じたループ状及び多角形状であってもよく、コンテンツを含む領域を示す。
【００３９】
例えば、電子装置のカット領域に他の背景画面、写真、メディア、ストリーム、絵、メモ、又は他の形のデータを挿入することができる。
作業領域において、カット領域はシステム又はユーザによって定義されたウインドウのように機能する。
【００４０】
上述したように、カット領域の形とサイズはユーザによって定義される。
例えば、電子装置のユーザは自由な形のカット領域を描くことができる。
また、カット領域としては、予め定義された形のうち少なくとも一つの形を選択してもよい。また、カット領域のサイズはシステムによって予め定義されるか、ユーザによって設定されてもよい。
例えば、ユーザは円状のカット領域３２０を選択し、選択した円の縁をドラックしてカット３２０領域のサイズを調節することができる。
【００４１】
カット領域の位置、形態、サイズが定義されると、ユーザはデータ、アプリケーションプログラム及び機能のうち少なくとも一つをカット領域に含ませることができる。
例えば、電子装置は特定の場所に具備されたコンピュータのウェブカムから受信したビデオデータをカット領域に表示する。
他の例として、電子装置はカット領域にニュースフィード（ｎｅｗｓｆｅｅｄ）のようなスクロールテキストを含んでもよい。また他の例として、電子装置は少なくとも一つの写真をカット領域に含ませてもよい。
【００４２】
電子装置は、作業領域に含まれた選択可能なアイコン、メニュー又は他の機能が存在する領域を除く空き領域において、ユーザの描き動作によってカット領域を生成する。
例えば、作業領域３１０の空き領域に対して予め定義された入力、例えば、ダブルタップ、ダブルタッチ、及びダブルクリックのうち少なくとも一つの入力が感知された場合、電子装置はカット領域を生成するためのイベントが発生したと認識する。
また、電子装置はメニューを介してカット領域を生成するように制御してもよい。また、電子装置はマウスの特定ボタン又はオプション、スタイラス、及びその他の入力装置を介してカット領域を生成するように制御してもよい。
【００４３】
カット領域に含まれるコンテンツとしては、電子装置に貯蔵されたデータ、電子装置の機能及び電子装置に設置されたアプリケーションプログラムのうち少なくとも一つを含む。
また、カット領域に含まれるコンテンツは、電子装置に貯蔵されたデータ、電子装置の機能、及び電子装置に設置されたアプリケーションプログラムのうち少なくとも一つと連動される。
例えば、電子装置のユーザは写真を撮影した後、作業領域の背景画面に円形状のカット領域を生成し、撮影した写真を挿入してもよい。
【００４４】
この際、電子装置のユーザは、挿入された写真に連絡先情報を連動してもよい。
例えば、カット領域に対する選択が感知された場合、電子装置はカット領域に挿入された写真と関連づけられた該当連絡先情報を表示する。
他の例として、カット領域に対する選択が感知された場合、電子装置はカット領域に挿入された写真と関連づけられた該当連絡先情報を参照してメッセージ伝送及び通話要請のうち少なくとも一つの機能を行ってもよい。
【００４５】
他の例として、電子装置のユーザは、特定の記念日に対する写真をカット領域に挿入した後、カット領域にカメラ機能を連動してもよい。
例えば、カット領域に対する選択が感知された場合、電子装置はカット領域の特定記念日に対する写真が貯蔵されたフォルダ及びディレクトリーに新たな写真が貯蔵されるように構成されたカメラ機能を駆動してもよい。
【００４６】
本発明の実施形態において、電子装置のユーザは、ユーザの意図に応じて作業領域を構成することができる。
例えば、ユーザは、作業領域の背景画面に上に直接字を書くか絵を描いてもよい。
例えば、電子装置のユーザは、今後の参照のためにメモを作成してもよい。
例えば、電子装置のユーザが特定の写真を背景画面として設定した場合、電子装置のユーザは写真に見える他のコンテンツを参照するためのメモを作成してもよい。
【００４７】
ユーザによって入力されたメモ及び絵は、背景画面又はイメージにリンクされるが、別途に貯蔵されてもよい。
即ち、元のイメージを直接変更する必要がない。
電子装置は、ユーザによって入力されたメモ及び絵のうち少なくとも一つを含む背景画面を貯蔵及び伝送する。
メモを含む背景画面は、別途の修正されたイメージとして貯蔵されるか、メモ及び絵にリンクされたイメージのコピーイメージ、メモ及び絵としてそれぞれ貯蔵されてもよい。
【００４８】
例えば、団体写真を撮影した場合、電子装置のユーザは、団体写真に含まれたそれぞれの人々に対する名前を記入した後、名前が記入された写真を他の人に伝送してもよい。
即ち、電子装置は注釈が記入された写真を、一つの変更されたイメージ、又は元のイメージとメモ及び絵がリンクされたファイルとしてそれぞれ貯蔵するか変更してもよい。
【００４９】
上述したように、作業領域におけるカット領域を生成する動作のように選択可能なアイコン、メニュー、又は他の機能が存在する領域を除く空き領域に描くことで作業領域に対する編集モードを行うことができる。
この際、電子装置は、作業領域の空き領域で閉じたループ状に描く動作のような予め定義された動作によって作業領域に対する編集モードを行うことが好ましい。
また、電子装置は作業領域の空き領域で予め定義された選択によって作業領域に対する編集モードを行うことが好ましい。
【００５０】
作業領域の空き領域に対する予め定義された選択は多様な方法を含む。
例えば、作業領域の空き領域でダブルタッチ、ダブルタップ、ダブルクリックが入力された場合、電子装置は作業領域に対する編集モードを行う。
また、電子装置は、メニューを介して作業領域に対する編集モードの実行を選択してもよい。
また、電子装置はマウスの予め定義されたボタン又はオプション、スタイラス、又は他の入力装置に対する入力を介して作業領域に対する編集モードを行ってもよい。
【００５１】
図４は、本発明の実施形態による電子装置における作業領域を構成するための手順をを説明するためのフローチャートである。
図４を参照すると、電子装置はステップＳ４１０で第１作業領域を提供する。
例えば、第１作業領域は、少なくとも一つの選択可能なアイコン、メニュー、アプリケーションプログラム、及び機能のうち少なくとも一つを含む。
【００５２】
次に、電子装置は、ステップＳ４２０で第２作業領域を表示させるための蓋型オブジェクトを第１作業領域に提供する。
この際、蓋型オブジェクトは上述したファスナー機能であってもよい。
【００５３】
次に、電子装置は、ステップＳ４３０で蓋型オブジェクトが選択されたのか否かを確認する。
もし、蓋型オブジェクトが選択されない場合、電子装置はステップＳ４１０にもどって第１作業領域の表示を維持する。
【００５４】
一方、蓋型オブジェクトが選択された場合、電子装置はステップＳ４４０で第１作業領域を漸進的に除去しながらその下にある第２作業領域を提供する。
第２作業領域は少なくとも一つの選択可能なアイコン、メニュー、アプリケーションプログラム及び機能のうち少なくとも一つを含む。
【００５５】
図５は、本発明の実施形態による電子装置の概略構成を示すブロック図である。
図５を参照すると、電子装置５００は、タッチスクリーンを具備する移動通信端末機、スマートフォン、ＰＤＡ、携帯インターネット装置（ＭＩＤ）、ラップトップＰＣ、ウルトラモバイルＰＣ（ＵＭＰＣ）、タブレットＰＣ、ネットブック、ナビゲーションデバイス、ＭＰ３プレーヤー、ポータブルメディアプレーヤー（ＰＭＰ）、デジタル冷蔵庫、及びデジタル時計のうち少なくとも一つを含む。
【００５６】
電子装置５００は、オペレーションシステム（ＯＳ）及びアプリケーションプログラムを含んで電子装置の動作に関する全ての機能を制御する制御部５１０、表示データを表示する表示部５２０、データ及び他の入力手段からの入力を制御する入力部５３０、及び少なくとも一つのアプリケーションプログラム、コンテンツ、及びデータを貯蔵するメモリ５４０を含む。
電子装置５００は、表示部５２０と入力部５３０とが結合されたタッチスクリーンを含む。
タッチスクリーンの使用とは関係なく、入力部５３０は、マウス、キーボード、ボタン及びスタイラスのうち少なくとも一つの入力手段を含む。
【００５７】
特に、制御部５１０は、表示部５２０に第１作業領域が表示されるように制御する。
上述したファスナー機能、カット領域の生成、及び作業領域編集モードのうち少なくとも一つが実行されると、制御部５１０はそれに対応して表示された作業領域を制御し、変更された事項を作業領域のデスクトップに貯蔵し、第２作業領域又は変更されたデスクトップが表示されるように制御する。
【００５８】
本発明は、電子装置の作業領域を迅速で容易に、かつ、有用で創意的なユーザとの相互作用のための機能で提供するという利点がある。
また、上述したように、電子装置の作業領域をオーダーメード方式で構成するように提供することで、ユーザの意図に応じて作業領域を構成することができるという利点がある。
【００５９】
尚、本発明は、上述の実施例に限られるものではない。本発明の技術的範囲から逸脱しない範囲内で多様に変更実施することが可能である。
【符号の説明】
【００６０】
２１０    第１作業領域
２１２    ファスナー（蓋型オブジェクト）
２１４    取っ手
２２２、２２４    アイコン
２３０    メニュー
２４０    境界領域
２５０    第２作業領域
５００    電子装置
５１０    制御部
５２０    表示部
５３０    入力部
５４０    メモリ
【図１】
2014120157.tif 000003
【図２Ａ】
2014120157.tif 000004
【図２Ｂ】
2014120157.tif 000005
【図２Ｃ】
2014120157.tif 000006
【図３】
2014120157.tif 000007
【図４】
2014120157.tif 000008
【図５】
2014120157.tif 000009